(57)【特許請求の範囲】
【請求項１】
基部と、この基部の両端に形成した２つの脚部を有するクリップをドライバで打ち出し、この打ち出されたクリップの脚部をクリンチャによって折り曲げることにより袋口部を結束するクリップであって、このクリップを重ねるように連結して構成されたクリップ連結体において、
クリップの基部とクリップの基部とを連結する連結部を設け、
この連結部の太さをクリップ連結体の先頭側にいくにしたがって細くしたことを特徴とするクリップ連結体。
【請求項２】
前記連結部の縦断面の形状を台形または略台形にしたことを特徴とする請求項１に記載のクリップ連結体。
【発明の詳細な説明】
【０００１】
【発明の属する技術分野】
この発明は、例えば食品等の包装用の袋の口部を結束するクリップを連結したクリップ体に関する。
【０００２】
【従来の技術】
従来から、袋口部を結束するクリップを連結したクリップ連結体が知られている。
【０００３】
かかるクリップ連結体１は、図１６および図１７に示すように、２つの脚部２,２を有するクリップ３の基部４を連結部５によって連結して構成されたものである。
【０００４】
クリップ連結体１は、図１８に示す結束機６に装着されたカートリッジ７に収納される。このカートリッジ７に収納されたクリップ連結体１の先頭のクリップ３は、ドライバ８により前方の結束位置９へ打ち出されていく。結束位置９にはクリンチャ１０が設けられており、このクリンチャ１０には図１９および図２０に示すように溝１１,１２が設けられている。
【０００５】
この溝１１,１２により、クリップ３の脚部２,２が互いに重ねられて折り曲げられるようになっている。そして、その脚部２,２が折り曲げられることによって、図２１に示すように、袋１３の口部１４がクリップ３によって結束されるものである。
【０００６】
【発明が解決しようとする課題】
ところで、このようなクリップ連結体１は、ドライバ８によって先頭のクリップ３が前方へ打ち出されていく際に、連結部５が千切られて先頭のクリップ３が２番目のクリップ３から切り離されていくことになるが、クリップ３とクリップ３との間に亘っての連結部５の径の大きさが一定であるため、連結部５のほぼ中央から千切られていく。
【０００７】
このため、図２１に示すように、袋１３の口部１４がクリップ３によって結束されると、クリップ３の基部４の上面４aおよび下面４bにバリ５Ａ,５Ｂが発生する。このため、見栄えが悪く、しかも上面４aのバリ５Ａが手に当たり易いため、不快感を与えてしまう等の問題があった。
【０００８】
この発明は、上記問題点に鑑みてなされたもので、その目的は、見栄えが良く、しかもバリによって不快感を与えてしまうことのないクリップ連結体を提供することにある。
【０００９】
上記目的を達成するため、請求項１の発明は、基部と、この基部の両端に形成した２つの脚部を有するクリップをドライバで打ち出し、この打ち出されたクリップの脚部をクリンチャによって折り曲げることにより袋口部を結束するクリップであって、このクリップを重ねるように連結して構成されたクリップ連結体において、
クリップの基部とクリップの基部とを連結する連結部を設け、
この連結部の太さをクリップ連結体の先頭側にいくにしたがって細くしたことを特徴とする。
【００１０】
請求項２の発明は、前記連結部の縦断面の形状を台形または略台形にしたことを特徴とする。
【００１３】
【発明の実施の形態】
以下、この発明に係わるクリップ連結体の実施の形態を図面に基づいて説明する。
［第１実施形態］
クリップ連結体２０は、図１ないし図３に示すように、基部２１の両端に脚部２２,２２が一体形成された樹脂製のクリップ２３から構成されている。そして、各クリップ２３の基部２１と基部２１とが連結部２５によって互いに連結されている。このクリップ連結体２０は、例えば射出成形によって一体に形成される。
【００１４】
連結部２５は、図１に示すように側面形状が台形または略台形となっており、平面形状は図３に示すように長方形または略長方形となっている。連結部２５の断面積は、前方（図１において左方）にいくに従って小さくなっており、連結部２５の一端部である先端部（図１において左端部）は後端部と比較して細くなっている。
【００１５】
このクリップ連結体２０は、従来と同様に結束機（図１７参照）のカートリッジに装填し、ドライバによってクリップ連結体２０の先頭のクリップ２３を結束位置へ打ち込む。すると、図４に示すようにクリップ２３の脚部２２,２２がクリンチャによて重ねられて折り曲げられる。そして、図５に示すように袋２７の口部２８がクリップ２３により結束される。
【００１６】
ところで、クリップ連結体２０の先頭のクリップ２３がドライバによって打ち出される際に、連結部２５が千切られて先頭のクリップ２３が２番目のクリップ２３から切り離されていくが、連結部２５の先端部が細くなっていることにより、連結部２５は先端部で千切られていく。このため、先頭のクリップ２３の基部２１の後面２１aにはバリが発生しないことになる。
【００１７】
このため、クリップ２３の基部２１の前面２１bのみに突出部２５Ａが発生することになり、図５に示すように、その基部２１の前面２１bが下側となるようにクリップ２３を結束位置へ打ち込むことにより、見栄えを良くすることができ、しかも、突出部２５Ａが基部２１の下側にあることにより従来のような不快感を与えてしまうことを防止することができる。
【００１８】
また、連結部２５は側面形状が台形になっていることにより、図６に示すように、突出部２５Ａの角の角度αが鈍角となる。このため、突出部２５Ａによって袋２７を破いてしまうことも防止することができる。
【００１９】
この第１実施形態では、連結部２５の側面の形状だけが台形になっているが、連結部２５の先端へいくにしたがって単に径が細くなるようにしてもよい。
［第２実施形態］
図７ないし図９は第２実施形態のクリップ連結体３０を示したものである。このクリップ連結体３０は、連結部３１の平面形状を台形にし、その側面形状を長方形にしたものである。
【００２０】
そして、基部４２の中央部４２aを他の基部４２の中央部４２aに連結させたものである。
【００２１】
このようにすることにより、クリップ４１が打ち出される際に発生するバリの大きさを極力小さくすることができる。
【００２２】
このクリップ５１は、脚部５２,５２がクリンチャによて重ねられて折り曲げられたとき、図１５に示すように、脚部５２と脚部５２とが重なって挟まれる位置に突出部２５Ａを発生させるようにしたものである。
【００２３】
このようにすることにより、突出部２５Ａを脚部５２で隠すことができ、見栄えがよく、しかも手が突出部２５Ａに当たってしまうことを確実に防止することができる。
【００２４】
【発明の効果】
以上説明したように、請求項１および請求項２の発明によれば、結束したときのクリップの見栄えを良くすることができ、しかもバリによって不快感を与えてしまうことを防止することができる。
【図面の簡単な説明】
【図１】  この発明に係わるクリップ連結体を示した側面図である。
【図２】  クリップを示した正面図である。
【図３】  図１に示すクリップ連結体の平面図である。
【図４】クリップの脚部をクリンチした状態を示した説明図である。
【図５】  クリップで袋の口部を結束した状態を示した説明図である。
【図６】  バリを拡大して示した説明図である。
【図７】第２実施形態のクリップを示した説明図である。
【図８】第２実施形態のクリップ連結体を示した平面図である。
【図９】  第２実施形態のクリップ連結体を示した側面図である。
【図１０】  従来のクリップ連結体を示した側面図である。
【図１１】従来のクリップを示した正面図である。
【図１２】  結束機を概略的に示した説明図である。
【図１３】  クリンチャとドライバによってクリップの脚部が折り曲げられる状態を示した説明図である。
【図１４】  クリンチャを示した説明図である。
【図１５】  従来のクリップで袋の口部を結束した状態を示した説明図である。
【図１】
0004848594.tif 000002
【図２】
0004848594.tif 000003
【図３】
0004848594.tif 000004
【図４】
0004848594.tif 000005
【図５】
0004848594.tif 000006
【図６】
0004848594.tif 000007
【図７】
0004848594.tif 000008
【図８】
0004848594.tif 000009
【図９】
0004848594.tif 000010
【図１０】
0004848594.tif 000011
【図１１】
0004848594.tif 000012
【図１２】
0004848594.tif 000013
【図１３】
0004848594.tif 000014
【図１４】
0004848594.tif 000015
【図１５】
0004848594.tif 000016